(57)【要約】【課題】照明器具の設定を簡略化することができる照明器具を提供する。【解決手段】照明器具１は、異なる複数の色の光を発することが可能な光源５と、光源５の光の色を制御する制御部６と、光源５を複数の光で発光させるために使用者が操作する、複数の色に一対一で対応した複数のボタンとを備える。また、制御部６は、操作を受付けるたびに、色とボタンが選択された順番とを紐付けた制御パラメータを記憶し、記憶された制御パラメータが示す順番に応じた色で光源５が発する光の色を変化させる。【選択図】図５
2019067548.tif 000002
【特許請求の範囲】
【請求項１】
異なる複数の色の光を発することが可能な光源と、
前記光源の光の色を制御する制御部と、
前記光源を複数の光で発光させるために使用者が操作する、前記複数の色に一対一で対応した複数のボタンとを備え、
前記制御部は、
前記操作を受付けるたびに、前記色と前記ボタンが選択された順番とを紐付けた制御パラメータを記憶し、
記憶された前記制御パラメータが示す順番に応じた前記色で前記光源が発する光の色を変化させる
照明器具。
【請求項２】
前記制御部は、前記光源の発する光の色を第１の色から第２の色に所定の移行期間で連続的に変化させる
請求項１に記載の照明器具。
【請求項３】
前記制御部は、使用者が前記ボタンを操作することによって、所定の移行期間を任意に設定する
請求項１又は２に記載の照明器具。
【請求項４】
前記制御部は、前記ボタンを操作している最中に、前記光源を発光させ、かつ、前記ボタンからの操作に基づいた前記制御パラメータを格納する
請求項１〜３のいずれか１項に記載の照明器具。
【請求項５】
前記制御部は、さらに、
前記光源の光の、明るさ、色あい、鮮やかさ及び移行期間の少なくともいずれかを示す第１の値を制御し、
使用者が前記ボタンを操作することによって、前記第１の値から変更された第２の値を記憶し、
前記第２の値に基づいて前記光源の発する光を変化させる
請求項１〜４のいずれか１項に記載の照明器具。
【請求項６】
前記制御部は、
当該照明器具の電源がＯＦＦされた状態でも、前記制御パラメータを記憶し、再度、当該照明器具の電源がＯＮされた状態になると、前記制御パラメータに応じて前記記憶した順番で前記光源の発する光の色を変化させる
請求項１〜５のいずれか１項に記載の照明器具。
【請求項７】
光源と、
前記光源の光の色を制御する制御部と、
前記光源の異なる光の色に対応した複数のボタンとを備え、
前記制御部は、前記ボタンが選択された順番を記憶し、記憶された順番に応じ前記ボタンに対応した前記光源の光の色で発光させる
照明器具。
【請求項８】
光源と、前記光源の光の色を制御する制御部と、前記光源を異なる複数の色の光で発光させるために使用者が操作する、前記複数の色に一対一で対応した複数のボタンとを備える照明器具の照明制御方法であって、
前記複数の色で光を発することが可能な前記光源の光の色を制御し、
前記操作を受付けるたびに、前記色と前記ボタンが選択された順番とを紐付けた制御パラメータを記憶し、
記憶された前記制御パラメータが示す順番に応じた前記色で前記光源が発する光の色を変化させる
照明制御方法。
【発明の詳細な説明】
【技術分野】
【０００１】
本開示は、照明器具及び照明制御方法に関する。
【背景技術】
【０００２】
照明器具に対応する照明ボタンを表示する表示部と、照明ボタン選択部により選択された照明ボタンに対応する照明器具のエフェクトを制御するエフェクト制御部とを有する調光制御装置が開示されている（例えば特許文献１参照）。エフェクト制御部は、照明器具から他の照明器具を順に点灯させるというエフェクトパターンを設定する。
【０００３】
これにより、複数の照明器具のうち１つの照明器具を順に点灯させ、他の照明器具を消灯させていくことで、照明器具の照射位置を移動させるというエフェクトを実施する。
【先行技術文献】
【特許文献】
【０００４】
【特許文献１】特開２０１２−６９４２２号公報
【発明の概要】
【発明が解決しようとする課題】
【０００５】
このような調光制御装置では、複数の照明器具を制御するため、各々の照明器具と接続する配線が必要となる。このため、複数の照明器具の同期をとる場合には、配線を引くための工事が必要となり、設備が大掛かりになってしまう。これにより、従来の調光制御装置では、設定が複雑化してしまう。
【０００６】
そこで、本開示は、照明器具の設定を簡略化することができる照明器具及び照明制御方法を提供することを目的とする。
【課題を解決するための手段】
【０００７】
上記目的を達成するため、本開示の一態様に係る照明器具は、異なる複数の色の光を発することが可能な光源と、前記光源の光の色を制御する制御部と、前記光源を複数の光で発光させるために使用者が操作する、前記複数の色に一対一で対応した複数のボタンとを備え、前記制御部は、前記操作を受付けるたびに、前記色と前記ボタンが選択された順番とを紐付けた制御パラメータを記憶し、記憶された前記制御パラメータが示す順番に応じた前記色で前記光源が発する光の色を変化させる。
【０００８】
また、本開示の一態様に係る照明器具は、光源と、前記光源の光の色を制御する制御部と、前記光源の異なる光の色に対応した複数のボタンとを備え、前記制御部は、前記ボタンが選択された順番を記憶し、記憶された順番に応じ前記ボタンに対応した前記光源の光の色で発光させる。
【０００９】
また、本開示の一態様に係る照明制御方法は、光源と、前記光源の光の色を制御する制御部と、前記光源を異なる複数の色の光で発光させるために使用者が操作する前記複数の色に一対一で対応した複数のボタンとを備える照明器具の照明制御方法であって、前記複数の色で光を発することが可能な前記光源の光の色を制御し、前記操作を受付けるたびに、前記色と前記ボタンが選択された順番とを紐付けた制御パラメータを記憶し、記憶された前記制御パラメータが示す順番に応じた前記色で前記光源が発する光の色を変化させる。
【発明の効果】
【００１０】
本開示によれば、照明器具の設定を簡略化することができる。
【図面の簡単な説明】
【００１１】
【図１】図１は、実施の形態に係る照明器具を示す斜視図である。
【図２】図２は、図１のＩＩ−ＩＩ線における実施の形態に係る照明器具を示す断面図である。
【図３】図３は、実施の形態に係る照明器具を示すブロック図である。
【図４】図４は、実施の形態に係る照明器具の操作パネル及び第１点灯ボタン〜第７点灯ボタンに対応する光の色を示す模式図である。
【図５】図５は、実施の形態に係る照明器具の動作を示すフロー図である。
【図６】図６は、実施の形態に係る照明器具の光の色の設定を示すフロー図である。
【図７】図７は、実施の形態に係る照明器具の光の色の設定を示す説明図である。
【図８】図８は、実施の形態に係る照明器具が出射する光の明るさの設定を示すフロー図である。
【図９】図９は、実施の形態に係る照明器具が出射する光の明るさの設定を示す説明図である。
【図１０】図１０は、実施の形態に係る照明器具が出射する光の鮮やかさの設定を示す説明図である。
【図１１】図１１は、実施の形態に係る照明器具における移行期間のスピードの設定を示す説明図である。
【図１２】図１２は、実施の形態に係る照明器具の光の色あいの設定を示す説明図である。
【発明を実施するための形態】
【００１２】
以下、本開示の実施の形態について、図面を参照しながら説明する。以下に説明する実施の形態は、いずれも本開示の好ましい一具体例を示すものである。したがって、以下の実施の形態で示される数値、形状、材料、構成要素、構成要素の配置位置及び接続形態などは、一例であって本開示を限定する主旨ではない。よって、以下の実施の形態における構成要素のうち、本開示の最上位概念を示す独立請求項に記載されていない構成要素については、任意の構成要素として説明される。
【００１３】
また、「略＊＊」との記載は、「略同一」を例に挙げて説明すると、全く同一はもとより、実質的に同一と認められるものを含む意図である。
【００１４】
なお、各図は、模式図であり、必ずしも厳密に図示されたものではない。また、各図において、実質的に同一の構成に対しては同一の符号を付しており、重複する説明は省略又は簡略化する。
【００１５】
以下、本開示の実施の形態に係る照明器具及び照明制御方法について説明する。
【００１６】
（実施の形態）
［構成］
図１は、実施の形態に係る照明器具１を示す斜視図である。図２は、図１のＩＩ−ＩＩ線における実施の形態に係る照明器具１を示す断面図である。
【００１７】
照明器具１が出射する光の出射方向をＸ軸プラス方向と規定し、第１点灯ボタン７１〜第７点灯ボタン７７へ向かう方向をＹ軸プラス方向と規定し、光源５に対する操作パネル７の方向をＺ軸プラス方向と規定し、Ｘ、Ｙ、Ｚの各方向を表示する。図１に示す各方向は、図２に示す各方向に対応させて表示する。Ｘ、Ｙ、Ｚの各方向を表示していない図を除き、図２以降の図においても、同様である。
【００１８】
図１に示すように、照明器具１は、所定期間ごとに異なる複数の色の光を発することで、演出照明を行うことができる器具である。照明器具１は、例えば、投光器、ダウンライト等である。照明器具１は、例えば施設等の造営材に取り付けられる。
【００１９】
図３は、実施の形態に係る照明器具１を示すブロック図である。
【００２０】
図２及び図３に示すように、照明器具１は、筐体３と、取付フレーム４と、光源５と、制御部６と、操作パネル７と、透光パネル８と、電源ボックスとを備える。
【００２１】
筐体３は、直方体状の箱体である。筐体３には、光源５、制御部６、操作パネル７、及び、電源ボックスを収容している。筐体３は、Ｘ軸プラス方向側に光源５を配置し、Ｚ軸プラス方向側に操作パネル７を配置している。また、筐体３は、光源５のさらにＸ軸プラス方向側に透光パネル８を配置している。
【００２２】
図１に示すように、取付フレーム４は、照明器具１を造営材に取り付けるための部材である。取付フレーム４は、照明器具１のＸ軸プラス方向から見てＵ字型である。取付フレーム４は、筐体３のＹ軸方向における両側から、筐体３を挟むように筐体３に固定されている。取付フレーム４は、筐体３に対して回動可能である。例えば、照明器具１が造営材に固定されている場合、筐体３が取付フレーム４に対して回動する。これにより、照明器具１が照射する光の向きを変えることができる。
【００２３】
図２及び図３に示すように、光源５は、異なる複数の色の光を発することが可能であり、赤色光、黄色光、緑色光、水色光、青色光、紫色光、白色光等の光を発することが可能なモジュールである。光源５は、基板５１と、複数の発光素子５２とを有する。
【００２４】
基板５１は、発光素子５２を実装するための実装基板であって、例えばセラミックス基板、樹脂基板又は絶縁被覆されたメタルベース基板などである。本実施の形態では、ＬＴＣＣ（Ｌｏｗ  Ｔｅｍｐｅｒａｔｕｒｅ  Ｃｏ−ｆｉｒｅｄ  Ｃｅｒａｍｉｃｓ）のパッケージ基板である。また、基板５１は、例えば平面視において矩形である平面を有する板状である。
【００２５】
基板５１は、複数の発光素子５２を実装している。基板５１は、筐体３のＸ軸プラス方向側の面において、Ｙ軸方向及びＺ軸方向で規定される平面に対して略平行となる姿勢で、筐体３に固定されている。
【００２６】
発光素子５２は、照明器具１の出射光となる光を出射する素子である。本実施の形態では、発光素子５２は、ＬＥＤ（Ｌｉｇｈｔ  Ｅｍｉｔｔｉｎｇ  Ｄｉｏｄｅ）を有する発光モジュールであって、所定の光を放射状に出射するＬＥＤ光源である。複数の発光素子５２は、赤色ＬＥＤチップ、緑色ＬＥＤチップ及び青色ＬＥＤチップからなる。赤色ＬＥＤチップ、緑色ＬＥＤチップ及び青色ＬＥＤチップの光色を組み合わせることで、異なる光色の光を発することが可能となる。発光素子５２は、例えば、ＣＯＢ（Ｃｈｉｐ  Ｏｎ  Ｂｏａｒｄ）型ＬＥＤで構成され、基板５１上に実装されたＬＥＤチップである。
【００２７】
本実施の形態では、複数の発光素子５２は、Ｘ軸プラス方向に光を発する姿勢で、基板５１に実装されている。なお、複数の発光素子５２が発する姿勢は、取付フレーム４に対する筐体３の姿勢で変化するため、本実施の形態に限定されない。
【００２８】
図３で示すように、制御部６は、情報処理部６１と、記憶部６２と、エフェクト制御部６３とを有する。
【００２９】
情報処理部６１は、操作パネル７の操作に応じた処理を行う装置である。情報処理部６１は、操作パネル７からの操作を受付けるたびに、点灯ボタンに対応する光の色と後述する点灯ボタンが選択された順番とを紐付けた制御パラメータを生成し、生成した制御パラメータを記憶部６２に格納する。言い換えれば、情報処理部６１は、操作パネル７から操作を受けた場合に、各々の操作パネル７に対して割り当てられた光源５の光の色と各々の操作パネル７が選択された順番とを紐付け、操作を受付けるたびに操作を受けた順番を、記憶部６２に格納する。このように、情報処理部６１は、操作パネル７の点灯ボタンが選択された順番、つまり、光の色が選択された順番を、記憶部６２に格納する。そのため、発光素子５２がどのような色の光を発していても、新たに点灯ボタンを選択すれば、最後に選択された点灯ボタンの順番の、直後の順番が、新たに選択された点灯ボタンに対応する光の色に割り当てられる。点灯ボタンは、ボタンに含まれる。
【００３０】
制御パラメータは、複数の点灯ボタンが選択された順番を、複数の点灯ボタンに対応する複数の色の順番として示すパラメータである。また、制御パラメータは、選択された光の色が選択された順番で点灯制御する他に、光の明るさ、光の色あい、光の鮮やかさ及び移行期間で光源５の発する光を点灯制御するパラメータである。光の色を選択した順番を１サイクルとする。選択された光の色は、選択された点灯ボタンに対応する光の色である。
【００３１】
点灯ボタンに対応する光源５が発する光の色は、点灯ボタンが選択された際の光源５の発光色を意味する。選択された点灯ボタンとは点灯ボタンが押下されることを意味し、点灯ボタンに対応する色の光を光源５が発する。
【００３２】
情報処理部６１は、点灯ボタンが押下されると、制御パラメータとして記憶している、すでに選択された点灯ボタンと同一か否かを判断する。情報処理部６１は、すでに選択されている点灯ボタンと同一である場合、記憶部６２で記憶している該当する点灯ボタンをキャンセルする。点灯ボタンのキャンセルについては後述する。
【００３３】
情報処理部６１は、順番ｎが上限ｍ以下であるか否かを判断する。各々の順番ｎは、選択された点灯ボタンの順番を意味する。情報処理部６１は、選択された点灯ボタンごとに順番ｎを紐付ける。例えば、後述する点灯ボタンである第１点灯ボタン７１、第２点灯ボタン７２、及び、第３点灯ボタン７３がこの順で選択されると、情報処理部６１は、第１点灯ボタン７１に対応する赤色光に順番ｎ＝１を紐付け、第２点灯ボタン７２に対応する黄色光に順番ｎ＝２を紐付け、第３点灯ボタン７３に対応する緑色光に順番ｎ＝３を紐付ける。情報処理部６１は、赤色光、黄色光、及び、緑色光をこの順で紐付けた１サイクルの制御パラメータを生成する。
【００３４】
つまり、情報処理部６１は、選択された順番ごとに若い番号を点灯ボタンに対応する光の色に付与する。このため、制御パラメータに応じた再生が行われていても、どのタイミングでも次の点灯ボタンを選択すれば、情報処理部６１は、次に若い順の番号をこの選択された点灯ボタンに付与する。
【００３５】
情報処理部６１は、使用者が操作パネル７を操作することによって、光源５の光の、明るさ、色あい、鮮やかさ及び移行期間の少なくともいずれかを示す、後述する第１の値から変更された第２の値を、記憶部６２に記憶させる。
【００３６】
情報処理部６１は、光の明るさ、光の色あい、光の鮮やかさ、及び、移行期間のいずれかを設定変更する場合において、最後に操作パネル７を操作してから所定期間内に、再度、操作パネル７を操作したか否かを判断する。所定期間以上操作を行わなければ、使用者の操作が終了したと考えられる。このため、情報処理部６１は、光の明るさ、光の色あい、光の鮮やかさ、移行期間のいずれかを設定変更する場合、所定期間以上操作を行わなければ、現在の設定値を示す表示部１７１に表示された値に確定する。本実施の形態では、所定期間を、３分間に設定している。
【００３７】
情報処理部６１は、制御パラメータに含まれる所定の値を書き換える。ここでいう所定の値とは、光の明るさのレベル、光の色あいのレベル、光の鮮やかさのレベル、移行期間の少なくともいずれかを示し、第１の値又は第２の値である。なお、所定期間以内であるか否かの判断は、時間を計測する計時部を用いて実現する。
【００３８】
記憶部６２は、制御パラメータを格納する装置である。記憶部６２は、例えば、半導体メモリ又はハードディスク装置を用いて構成される。記憶部６２は、当該照明器具１の電源がＯＦＦされた状態でも、制御パラメータを保持する。
【００３９】
エフェクト制御部６３は、光源５の発光素子５２の点灯態様である、少なくとも光源５の光の色を制御する。つまり、エフェクト制御部６３は、記憶された制御パラメータが示す順番に応じた色で光源５が発する光の色を変化させる。
【００４０】
また、エフェクト制御部６３は、さらに、光源５の光の、明るさ、色あい、鮮やかさ及び移行期間の少なくともいずれかを示す第１の値を制御する。使用者が操作パネル７を操作することによって、第１の値から第２の値に変更された場合、エフェクト制御部６３は、第２の値に基づいて光源５の発する光を変化させる。
【００４１】
第１の値は、例えば、光の第１の明るさ、光の第１の色あい、光の第１の鮮やかさ、第１の移行期間である。第２の値は、第１の値と異なり、例えば、光の第２の明るさ、光の第２の色あい、光の第２の鮮やかさ、第２の移行期間である。本実施の形態では、第１の値は変更前の、光の明るさ、光の色あい、光の鮮やかさ及び移行期間を示し、第２の値は変更後の、光の明るさ、光の色あい、光の鮮やかさ及び移行期間を示す。
【００４２】
例えば、光源５が発する光の第１の明るさを第２の明るさにする場合、エフェクト制御部６３は、第２の値に合わせて光源５が発する光の調光制御を行う。また、光源５が発する光の第１の色あいを第２の色あいにする場合、エフェクト制御部６３は、第２の値に合わせて光源５が発する光の調色制御を行う。さらに、光源５が発する光の第１の鮮やかさを第２の鮮やかさにする場合、エフェクト制御部６３は、第２の値に合わせて光源５が発する光を制御する。
【００４３】
エフェクト制御部６３は、光源５の発する光の色を第１の色から第２の色に所定の移行期間で連続的に変化させる。エフェクト制御部６３は、操作パネル７を操作することによって、連続的に変化させる移行期間を任意に設定する。本実施の形態では、エフェクト制御部６３は、制御パラメータに示される第１の色から第２の色への移行期間を、任意に変更することができる。後述する操作パネル７のスピードボタン１７６及びレベル設定ボタン１７２によって、制御パラメータに示される１サイクルに掛かる再生時間も、適宜設定変更される。スピードボタン１７６及びレベル設定ボタン１７２は、ボタンに含まれる。
【００４４】
エフェクト制御部６３は、当該照明器具１の電源がＯＦＦされた状態でも、制御パラメータを保持し、再度、当該照明器具１の電源がＯＮされた状態になると、制御パラメータに応じて記憶した順番で光源５の色を変化させる。つまり、一度制御パラメータが生成されれば、照明器具１の電源がＯＦＦになっても、制御パラメータは失われない。
【００４５】
このように、制御部６は、操作パネル７を操作している最中に、光源５を発光させ、かつ、操作パネル７からの指示に基づいた制御パラメータを記憶部６２に格納する。具体的には、使用者が点灯ボタンを操作している最中に、エフェクト制御部６３は、操作された点灯ボタンに応じた色で光源５を発光させ、設定された明るさで光源５を発光させ、かつ、情報処理部６１が操作パネル７の操作に応じた制御パラメータを、記憶部６２に格納する。このことから、制御部６では、制御パラメータの記憶と光源５の点灯とを平行して行う。
【００４６】
図４は、実施の形態に係る照明器具１の操作パネル７及び第１点灯ボタン７１〜第７点灯ボタン７７に対応する光の色を示す模式図である。
【００４７】
図４に示すように、操作パネル７は、照明器具１の点灯態様を設定することができるパネルである。操作パネル７は、筐体３のＺ軸プラス方向側の面に配置されている。操作パネル７は、光源５を異なる光で発光させるために、使用者が操作する複数の色に一対一で対応した第１点灯ボタン７１〜第７点灯ボタン７７を有する。操作パネル７は、光源５が発する光の色を制御する指示を制御部６に与える。
【００４８】
操作パネル７は、複数の点灯ボタンと、表示部１７１と、２つのレベル設定ボタン１７２と、色あいボタン１７３と、明るさボタン１７４と、パステルボタン１７５と、スピードボタン１７６と、消灯再開ボタン１７７とを有する。本実施の形態では、複数の点灯ボタンは、第１点灯ボタン７１〜第７点灯ボタン７７で構成されている。以下、第１点灯ボタン７１〜第７点灯ボタン７７を総称する場合、又は、第１点灯ボタン７１〜第７点灯ボタン７７のうち任意のボタンを示す場合は、点灯ボタンという。
【００４９】
第１点灯ボタン７１は、光源５から赤色光を発するためのボタンである。赤色光は、プリセットカラーの（ａ）で示される。第２点灯ボタン７２は、光源５から黄色光を発するためのボタンである。黄色光は、プリセットカラーの（ｂ）で、赤色光と緑色光とにより示される。第３点灯ボタン７３は、光源５から緑色光を発するためのボタンである。緑色光は、プリセットカラーの（ｃ）で示される。第４点灯ボタンは、光源５から水色光を発するためのボタンである。水色光は、プリセットカラーの（ｄ）で、緑色光と青色光とにより示される。第５点灯ボタン７５は、光源５から青色光を発するためのボタンである。青色光は、プリセットカラーの（ｅ）で示される。第６点灯ボタンは、光源５から紫色光を発するためのボタンである。紫色光は、プリセットカラーの（ｆ）で、赤色光と青色光とにより示される。第７点灯ボタン７７は、光源５から白色光を発するためのボタンである。白色光は、プリセットカラーの（ｇ）で、赤色光と緑色光と青色光とにより示される。第１点灯ボタン７１〜第７点灯ボタン７７は、ボタンの一例である。
【００５０】
レベル設定ボタン１７２は、光源５が発する光の、色あい、明るさ、鮮やかさ、及び、移行期間におけるそれぞれのレベルを変更することができるボタンである。レベル設定ボタン１７２は、光源５が発する光の、色あい、明るさ、及び、鮮やかさにおけるそれぞれの、レベルを上げるボタンと、レベルを下げるボタンとからなる。また、レベル設定ボタン１７２は、レベルを上げるボタンとレベルを下げるボタンとによって、移行期間の時間を変更する。レベル設定ボタン１７２は、ボタンの一例である。
【００５１】
表示部１７１は、光源５が発する光の、色あい、明るさ、鮮やかさ、及び、移行期間を表示するパネルである。表示部１７１は、７セグメントディスプレイ、液晶ディスプレイ等である。
【００５２】
色あいボタン１７３は、現在設定されている第１点灯ボタン７１〜第７点灯ボタン７７に対応する光の色を、設定変更することが可能なボタンである。例えば、第１点灯ボタン７１を例に挙げると、第１ボタンに対応する光の色を、黄色にしたい場合、色あいボタン１７３を選択し、レベル設定ボタン１７２で光の色を変更することができる。この場合、制御部６は、第１ボタンに対応する光の色が黄色であることを、制御パラメータに書き換えて記憶部６２に格納する。なお、第２点灯ボタン７２〜第７点灯ボタン７７においても同様に、光の色を変更することができる。色あいボタン１７３は、ボタンの一例である。
【００５３】
明るさボタン１７４は、光源の光の明るさを、設定変更することが可能なボタンである。例えば、第１点灯ボタン７１及び第２点灯ボタン７２だけが選択されている場合を例に挙げると、光源５が発する光の明るさを変更したい場合、明るさボタン１７４を選択し、レベル設定ボタン１７２で光の色を変更することで、第１点灯ボタン７１及び第２点灯ボタン７２に対応する光源５が発する光の明るさを設定変更することができる。このように、第１点灯ボタン７１及び第２点灯ボタン７２に対応する光源５が発する光の明るさが設定された場合、制御部６は、制御パラメータを書き換えて記憶部６２に格納する。明るさボタン１７４は、ボタンの一例である。
【００５４】
なお、明るさボタン１７４は、光源５が発する全ての光の明るさを同時に設定変更し、各々の点灯ボタンに対応する色の光ごとに対して個別に設定する訳ではない。
【００５５】
パステルボタン１７５は、光源の光の鮮やかさを、設定変更することが可能なボタンであり、中間色を設定するボタンである。例えば、第１点灯ボタン７１を例に挙げると、光源５が発する光の鮮やかさを変更したい場合、パステルボタン１７５を選択し、レベル設定ボタン１７２で光の色を変更することができる。このように、第１点灯ボタン７１に対応する光源５が発する光の鮮やかさが設定された場合、制御部６は、制御パラメータを書き換えて記憶部６２に格納する。パステルボタン１７５は、ボタンの一例である。
【００５６】
スピードボタン１７６は、１サイクル当たりの期間を設定変更することが可能なボタンである。例えば、第１点灯ボタン７１を例に挙げると、１サイクル当たりの期間を変更したい場合、スピードボタン１７６を選択し、レベル設定ボタン１７２でこの１サイクル当たりの期間を変更する。レベル設定ボタン１７２では、１秒単位、１分単位ごとに、この期間を設定することができる。このように、１サイクル当たりの期間が設定された場合、制御部６は、制御パラメータを書き換えて記憶部６２に格納する。スピードボタン１７６は、ボタンの一例である。
【００５７】
消灯再開ボタン１７７は、記憶部６２に格納された制御パラメータの再生又は光源５の点灯を消灯するためのボタンである。つまり、消灯再開ボタン１７７は、記憶部６２に記憶されている制御パラメータの照明器具１の点灯態様を再生する。
【００５８】
点灯ボタンのキャンセルについて、一例を挙げて説明する。第１点灯ボタン７１、第２点灯ボタン７２、及び、第３点灯ボタン７３がこの順で選択されている場合において、第２点灯ボタン７２がさらに選択されると、情報処理部６１は、第２点灯ボタン７２に対応する色の光を光源５が発することをキャンセルする。このとき、第１点灯ボタン７１、及び、第３点灯ボタン７３がこの順で選択されていることとなる。つまり、情報処理部６１は、第１点灯ボタン７１に対応する赤色光、及び、第２点灯ボタン７２に対応する黄色光をこの順で紐付けた１サイクルの制御パラメータを生成して、生成した制御パラメータを記憶部６２に格納する。赤色光と黄色光との間で光の色が連続的に変化しながら、繰り返し点灯する。また、この場合、点灯ボタンがキャンセルされることで、キャンセルされた第２点灯ボタン７２よりも後に選択された第３点灯ボタン７３の順番が１つ繰り上がり、順番が若くなる。なお、あくまでも一例として挙げているため、この例示に限定されない。光の色が連続的に変化とは、色度図における第１の地点から第２の地点までの直線上を移動するように、光の色が連続して変化することをいう。
【００５９】
透光パネル８は、光源５が発した光が透過する、透光性のパネルである。透光パネル８は、筐体３のＸ軸プラス方向側に配置されている。透光パネル８は、Ｘ軸プラス方向から照明器具１を見て、光源５部を覆っている。
【００６０】
電源ボックスは、光源５と電気的に接続された電源回路であり、照明器具１の電源を構成する。電源ボックスは、例えば、プリント回路基板と、プリント回路基板に実装された複数の電子部品とを有する。電源ボックスには、調光回路、昇圧回路等が組み合わされている。
【００６１】
［動作］
次に、本実施の形態における照明器具１の動作について説明する。
【００６２】
図５は、実施の形態に係る照明器具１の動作を示すフロー図である。図５では、使用者が照明器具１の照明演出の設定について説明する。
【００６３】
図５に示すように、まず、使用者は、照明器具１に電源をＯＮにして、照明器具１を起動する。使用者は、操作パネル７の点灯ボタンを選択する。制御部６の情報処理部６１は、選択された点灯ボタンに対応する色の光を発する順番を記憶部６２に格納する（Ｓ１）。光源５が点灯ボタンに対応する色の光を発する順番は、ｎ＝１であり、１番目を意味する。情報処理部６１は、点灯ボタンに対応する光の色とこの色に紐付けられた順番ｎ＝１とからなる制御パラメータを生成し、生成した制御パラメータを記憶部６２に格納する。
【００６４】
また、制御部６のエフェクト制御部６３は、選択された点灯ボタンに対応する色で光源５を発光させる（Ｓ１）。つまり、制御部６は、点灯ボタンが選択された際に、点灯ボタンに対応する色で光源５を発光させ、これと同時又はほぼ同時に生成した制御パラメータを記憶部６２に格納する。
【００６５】
次に、使用者は、次の点灯ボタンを選択する。情報処理部６１は、選択された点灯ボタンから信号を取得したか否かで、次の点灯ボタンが選択されたか否かを判断する（Ｓ２）。
【００６６】
次の点灯ボタンが選択されていない場合（Ｓ２でＮＯ）に、情報処理部６１は、ステップＳ２に戻る。
【００６７】
次の点灯ボタンが選択された場合（Ｓ２でＹＥＳ）に、情報処理部６１は、ステップＳ１ですでに選択されている点灯ボタンがさらに押下されたか否かを判断する（Ｓ３）。
【００６８】
すでに選択されている点灯ボタンと同一である場合（Ｓ３でＹＥＳ）に、情報処理部６１は、押下された点灯ボタンをキャンセルする（Ｓ８）。つまり、情報処理部６１は、記憶部６２で記憶している制御パラメータから、選択された点灯ボタンをキャンセルし、キャンセルした点灯ボタンに対応する光の色よりも後の順番を、キャンセルした数だけ繰り上げる。そして、ステップＳ２に戻る。
【００６９】
すでに選択されている点灯ボタンと同一でない場合（Ｓ３でＮＯ）、すでに選択している点灯ボタンと異なる点灯ボタンが選択されているため、情報処理部６１は、順番ｎが上限ｍ以下であるか否かを判断する（Ｓ４）。本実施の形態では、点灯ボタンは７つあるため、設定可能な順番の上限をｍ＝７とする。
【００７０】
順番ｎが上限ｍ以下であれば（Ｓ４でＹＥＳ）、情報処理部６１は、ステップＳ１の順番ｎに１をインクリメントする（Ｓ５）。ここでは、順番ｎ＝２となる。
【００７１】
順番ｎが上限ｍ以下でなければ（Ｓ４でＮＯ）、情報処理部６１は、ステップＳ２に戻る。この場合は、全ての点灯ボタンが選択された状態である。この場合は、選択されている点灯ボタンをキャンセルすれば、点灯ボタンに対応する色の光で発光する順番を入れ替えることができる。なお、全ての点灯ボタンが選択されていなくてもキャンセルすることができ、１つ以上の点灯ボタンが選択されていれば、選択した点灯ボタンをキャンセルすることができる。
【００７２】
次に、情報処理部６１は、ステップＳ５の順番ｎ＝２とステップＳ２で選択された次の点灯ボタンに対応する光の色とを紐付けた情報を、順番ごとに点灯ボタンに対応する色の光で発光する点灯態様となるように、ステップＳ１で記憶した制御パラメータを書き換える。制御部６は、書き換えた制御パラメータを記憶部６２に格納する（Ｓ６）。
【００７３】
次に、情報処理部６１は、現在の光の色から次の順番の光の色へと、光源５が発する光の色を連続的に変化させる（Ｓ７）。そして、使用者は、次の点灯ボタンを押圧することがあるため、情報処理部６１は、ステップＳ２に戻り同様の処理を行う。
【００７４】
この照明器具１では、点灯ボタンを選択すると、制御部６が制御パラメータを再生することで、設定した点灯態様の照明を行うことができる。
【００７５】
次に、照明器具１の光の色の設定について具体的に説明する。
【００７６】
図６は、実施の形態に係る照明器具１の光の色の設定を示すフロー図である。図７は、実施の形態に係る照明器具１の光の色の設定を示す説明図である。図７は、点灯ボタンを選択したときの動作を示し、光源５が発する光の色をフェーダーレベルとカラーパレット遷移とで示す。矢印は、光源５が発する光が変化する方向を示している。
【００７７】
まず、使用者が操作パネル７の第１点灯ボタン７１を選択する。図６に示すように、情報処理部６１は、この赤色光を光源５に発光させる順番ｎ＝１とした制御パラメータを生成し、生成した制御パラメータを記憶部６２に格納する（Ｓ２１）。また、エフェクト制御部６３は、第１点灯ボタン７１に対応する赤色光を光源５に発光させる（Ｓ２１）。情報処理部６１は、第１点灯ボタン７１が選択された際に、光源５に赤色光を発光させ、かつ、赤色光と赤色光を発光させる順番ｎ＝１とを紐付けた制御パラメータを生成し、制御パラメータを記憶部６２に格納する。
【００７８】
このとき、図７に示すように、操作パネル７の第１点灯ボタン７１が発光する。図７の（ａ）の行で、赤色光をフェーダーレベルとカラーパレット遷移とで示す。
【００７９】
次に、図６に示すように、使用者が操作パネル７の第５点灯ボタン７５を選択する。エフェクト制御部６３は、選択された第５点灯ボタン７５に対応する青色光を光源５に発光させる。情報処理部６１は、青色光と青色光を発光させる順番ｎ＝２とを紐付けて、すでに生成している制御パラメータを書き換える。情報処理部６１は、書き換えた制御パラメータを記憶部６２に格納する（Ｓ２２）。
【００８０】
次に、図６に示すように、エフェクト制御部６３は、光源５の発する光の色を、赤色光から青色光に所定の移行期間で連続的に変化させ、かつ、青色光から赤色光に所定の移行期間で連続的に変化させる（Ｓ２３）。つまり、光源５は、赤色光と青色光との間の光の色を連続的に変化させる。
【００８１】
このとき、図７に示すように、操作パネル７の第５点灯ボタン７５も発光する。図７の（ｂ）、（ｃ）の行で、赤色光から青色光への移行中をフェーダーレベルとカラーパレット遷移とで示す。
【００８２】
なお、光源５が赤色光を発しなくなると、第１点灯ボタン７１が点灯する明るさも低下する。第１点灯ボタン７１が点灯する明るさと、光源５の発する赤色光の明るさとが連動していてもよい。つまり、光源５の赤色光の光量が多ければ、第１点灯ボタン７１が点灯する明るさ明るくし、光源５の赤色光の光量が少なければ、第１点灯ボタン７１が点灯する明るさ暗くしてもよい。また、第１点灯ボタン７１以外の他の点灯ボタンの場合でも同様である。
【００８３】
次に、使用者が操作パネル７の第２点灯ボタン７２を選択する。エフェクト制御部６３は、選択された第２点灯ボタン７２に対応する黄色光を光源５に発光させる。情報処理部６１は、黄色光と黄色光を発光させる順番ｎ＝３とを紐付けて、すでに生成している制御パラメータを書き換える。情報処理部６１は、書き換えた制御パラメータを記憶部６２に格納する（Ｓ２４）。
【００８４】
次に、エフェクト制御部６３は、光源５の発する光の色を、赤色光、青色光及び黄色光のこの順で連続的に変化させる（Ｓ２５）。具体的には、エフェクト制御部６３は、光源５の発する光の色を、赤色光から青色光に所定の移行期間で連続的に変化し、さらに、青色光から黄色光に所定の移行期間で連続的に変化し、さらに、黄色光から赤色光に所定の移行期間で連続的に変化させるという、一連の流れである１サイクルを繰り返す。
【００８５】
このとき、図７に示すように、操作パネル７の第２点灯ボタン７２も発光する。図７の（ａ）〜（ｅ）の行で、赤色光、青色光及び黄色光のこの順で連続的に変化する１サイクルをフェーダーレベルとカラーパレット遷移とで示す。
【００８６】
例えば、使用者がこの設定を終了すると、この処理は終了する。こうして、照明器具１では、選択された点灯ボタンの順で記憶された光源５の発する光の色で、順番に発光する。また、照明器具１は、赤色光、青色光、及び、黄色光のこの順番での点灯を繰り返し再生し、設定した演出を行うことができる。
【００８７】
次に、照明器具１が出射する光の明るさの設定について具体的に説明する。
【００８８】
図８は、実施の形態に係る照明器具１が出射する光の明るさの設定を示すフロー図である。
【００８９】
図８に示すように、まず、使用者が操作パネル７の点灯ボタンを選択する。エフェクト制御部６３は、選択された点灯ボタンに対応する色の光を光源５に発光させる。情報処理部６１は、点灯ボタンに対応する色の光を光源５に発光させる順番ｎ＝１とした制御パラメータを生成し、生成した制御パラメータを記憶部６２に格納する（Ｓ３１）。
【００９０】
使用者は、明るさボタン１７４を選択する。情報処理部６１は、選択した点灯ボタンに対応する光の明るさを変更するモードにする。制御部６は、表示部１７１に表示されているレベルに応じた第１の明るさの光を光源５に発光させる（Ｓ３２）。第１の明るさは、第１の値に含まれる。使用者は、レベル設定ボタン１７２を選択し、第１の値を変更する。
【００９１】
次に、エフェクト制御部６３は、最後に操作パネル７を操作してから所定期間内に、再度、操作パネル７を操作したか否かを判断する（Ｓ３３）。エフェクト制御部６３は、例えば、最後に点灯ボタンを操作した際に出力された信号を所得してから所定期間以内に、操作パネル７から信号を取得したか否かで判断する。
【００９２】
所定期間以内に操作がされていない場合（Ｓ３３でＹＥＳ）、使用者は操作を完了したと考えられるため、情報処理部６１は、制御パラメータに含まれる第１の明るさを第２の明るさに書き換える。情報処理部６１は、書き換えた制御パラメータを記憶部６２に格納する（Ｓ３４）。第２の明るさは、第２の値に含まれる。
【００９３】
所定期間以内に操作がされている場合（Ｓ３３でＮＯ）、使用者は操作を完了していないと考えられるため、ステップＳ３２に戻る。
【００９４】
エフェクト制御部６３は、記憶部６２に記憶した制御パラメータに応じた色の光を光源５に繰り返し発光させる（Ｓ３５）。このように、エフェクト制御部６３は、選択された点灯ボタンに対応する色の光を、第１の明るさから第２の明るさにして、選択された点灯ボタンの色の光で光源５を第２の明るさで発光させる。そして、制御部６は、このフローを終了する。
【００９５】
次に、照明器具１が出射する光の明るさの設定について一例を挙げて説明する。
【００９６】
図９は、実施の形態に係る照明器具１が出射する光の明るさの設定を示す説明図である。図９では、選択しているボタンを手の形のアイコンで示す。
【００９７】
図９の（ａ）の行では、例えば、操作パネル７の第１点灯ボタン７１が選択されると、エフェクト制御部６３は、赤色光を光源５に発光させる。この際に、情報処理部６１は、第１点灯ボタン７１を点灯させ、かつ、赤色光と光源５に発光させる順番ｎ＝１とした制御パラメータを生成する。情報処理部６１は、生成した制御パラメータを記憶部６２に格納する。
【００９８】
情報処理部６１が光の明るさを変更するモードになると、図９の（ｂ）の行のように、表示部１７１には、第１の明るさのレベルが示される。図９の（ｃ）、（ｄ）の行のように、使用者は、表示部１７１を見ながらレベル調整ボタンを押下して明るさのレベルを調整する。なお、エフェクト制御部６３は、明るさのレベルを調整中に、表示部１７１に表示されている明るさのレベルに連動して光源５の赤色光の明るさを変化させてもよい。
【００９９】
所定期間以内に操作パネル７の操作がされていない又は再度明るさボタン１７４を押下して決定した場合、図９の（ｅ）の行のように、エフェクト制御部６３は、表示部１７１に表示されている明るさのレベルである第２の明るさに設定する。情報処理部６１は、制御パラメータに含まれる第１の明るさから第２の明るさに書き換えて、書き換えた制御パラメータを記憶部６２に格納する。
【０１００】
なお、エフェクト制御部６３は、明るさのレベルが設定された場合、光源５の発する光の明るさを第１の明るさから第２の明るさに連続的に変化させてもよい。一例を挙げると、使用者が明るさボタン１７４及びレベル調整ボタンを操作することによって、エフェクト制御部６３は、赤色光を第１の明るさである１００％から設定変更した第２の明るさ２０％になるように、光源５が発する光の明るさを連続的に変化させてもよい。
【０１０１】
次に、照明器具１が出射する光の色の鮮やかさの設定について一例を挙げて説明する。
【０１０２】
図１０は、実施の形態に係る照明器具１が出射する光の鮮やかさの設定を示す説明図である。図１０では、選択しているボタンを手の形のアイコンで示す。
【０１０３】
図１０の（ａ）の行では、例えば、操作パネル７の第１点灯ボタン７１が選択されると、エフェクト制御部６３は、赤色光を光源５に発光させる。この際に、情報処理部６１は、第１点灯ボタン７１を点灯させ、かつ、赤色光を光源５に発光させる順番ｎ＝１とした制御パラメータを生成する。情報処理部６１は、生成した制御パラメータを記憶部６２に格納する。
【０１０４】
情報処理部６１が光の鮮やかさを変更するモードになると、図１０の（ｂ）の行のように表示部１７１には、第１の鮮やかさのレベルが示される。図１０の（ｃ）、（ｄ）の行のように、使用者は、表示部１７１を見ながらレベル調整ボタンを押下して鮮やかさのレベルを調整する。なお、エフェクト制御部６３は、鮮やかさのレベルを調整中に、表示部１７１に表示されている鮮やかさのレベルに連動して光源５の赤色光の鮮やかさを変化させてもよい。
【０１０５】
所定期間以内に操作パネル７の操作がされていない又は再度パステルボタン１７５を押下して決定した場合、図１０の（ｅ）の行のように、エフェクト制御部６３は、表示部１７１に表示されている鮮やかさのレベルである第２の鮮やかさに設定する。情報処理部６１は、制御パラメータに含まれる第１の鮮やかさから第２の鮮やかさに書き換えて、書き換えた制御パラメータを記憶部６２に格納する。
【０１０６】
なお、エフェクト制御部６３は、鮮やかさのレベルが設定された場合、光源５の発する光の鮮やかさを第１の鮮やかさから第２の鮮やかさに連続的に変化させてもよい。一例を挙げると、使用者がパステルボタン１７５及びレベル調整ボタンを操作することによって、エフェクト制御部６３は、赤色光を第１の鮮やかさとする１００％から設定変更した第２の鮮やかさ２０％になるように、光源５が発する光の鮮やかさを連続的に変化させてもよい。
【０１０７】
次に、照明器具１における移行期間のスピードの設定について一例を挙げて説明する。
【０１０８】
図１１は、実施の形態に係る照明器具１における移行期間のスピードの設定を示す説明図である。図１１では、制御パラメータに赤色光、青色光、及び、黄色光がこの順で示されている場合を例に挙げて説明する。図１１では、選択しているボタンを手の形のアイコンで示す。
【０１０９】
図１１の（ａ）の行では、まず、赤色光、青色光、及び、黄色光のこの順番のサイクルで照明器具１が点灯している。この場合に、図１１の（ｂ）の行に示すように、使用者が操作パネル７のスピードボタン１７６を選択すると、情報処理部６１は、移行期間を変更するモードになる。情報処理部６１が移行期間を変更するモードになると、表示部１７１に第１の移行期間が示される。使用者は、表示部１７１を見ながらレベル調整ボタンを押下して移行期間を調整する。
【０１１０】
図１１の（ｃ）の行のように、所定期間以内に操作パネル７の操作がされていない又は再度スピードボタン１７６を押下して決定した場合、情報処理部６１は、表示部１７１に表示されている第１の移行期間を第２の移行期間に設定変更する。情報処理部６１は、制御パラメータに含まれる第１の移行期間から第２の移行期間に書き換えて、書き換えた制御パラメータを記憶部６２に格納する。エフェクト制御部６３は、新しく書き換えた移行期間で、赤色光及び青色光、青色光及び黄色光、黄色光及び赤色光とする一連の変化を光源５に発光させる。
【０１１１】
一例を挙げると、移行期間を１２０秒として設定している場合では、赤色光、青色光、及び、黄色光のこの順のサイクルで、１サイクルで当たり３６０秒をかけて１周する。新たに設定した時間を２７分とすると、赤色光、青色光、及び、黄色光のこの順で、１サイクル当たり８１分をかけて１周する。
【０１１２】
次に、照明器具１の光の色あいの設定について一例を挙げて説明する。
【０１１３】
図１２は、実施の形態に係る照明器具１の光の色あいの設定を示す説明図である。図１２では、選択しているボタンを手の形のアイコンで示す。
【０１１４】
図１２の（ａ）に示すように、例えば、第１点灯ボタン７１が選択されると、情報処理部６１は、赤色光を光源５に発光させる。この際に、制御部６は、第１点灯ボタン７１を点灯させ、かつ、赤色光と光源５に発光させる順番ｎ＝１とを紐付けた制御パラメータを生成する。情報処理部６１は、生成した制御パラメータを記憶部６２に格納する。
【０１１５】
情報処理部６１が光の色あいを変更するモードになると、図１２の（ｂ）、（ｃ）に示すように、表示部１７１に第１の色あいのレベルが示される。使用者は、表示部１７１を見ながらレベル調整ボタンを押下して色あいのレベルを調整する。
【０１１６】
所定期間以内に操作パネル７の操作がされていない又は再度色あいボタン１７３を押下して決定した場合、エフェクト制御部６３は、表示部１７１に表示されている色あいのレベルである第２の色あいに設定する。情報処理部６１は、制御パラメータに含まれる第１点灯ボタン７１の色合いを、第１の色あいから第２の色あいに書き換えて、書き換えた制御パラメータを記憶部６２に格納する。
【０１１７】
なお、エフェクト制御部６３は、色あいのレベルを設定中に、表示部１７１に表示されている色あいのレベルに連動して光源５の赤色光の色あいを変化させてもよい。
【０１１８】
図１２の（ｄ）では、２５５段階で色あいを決定することを示す。一例を挙げると、図１２の（ｄ）に示すように、制御部６は、赤色光を第１の色あいである１段階から設定変更した第２の色あいである２２４段階になるように、光源５が発する光の色あいを変更する。つまり、第１点灯ボタン７１に対応する赤色光を青色光に変更することとなる。この場合、操作パネル７には、光源５に青色光を発光させる点灯ボタンが２つ存在することとなる。説明は省略するが、他の点灯ボタンにおいても同等である。なお、制御部６は、赤色光を第１の色あいである１段階から設定変更した第２の色あいである２２４段階になるように、連続的に変化させてもよい。
【０１１９】
［作用効果］
次に、本実施の形態における照明器具１及び照明制御方法の作用効果について説明する。
【０１２０】
上述したように、本実施の形態に係る照明器具１は、異なる複数の色の光を発することが可能な光源５と、光源５の光の色を制御する制御部６と、光源５を複数の光で発光させるために使用者が操作する、複数の色に一対一で対応した複数の点灯ボタンとを備える。また、制御部６は、操作を受付けるたびに、色と点灯ボタンが選択された順番とを紐付けた制御パラメータを記憶し、記憶された制御パラメータが示す順番に応じた色で光源５が発する光の色を変化させる。
【０１２１】
これによれば、制御部６は、操作を受付けるたびに、点灯ボタンに対応する光の色と点灯ボタンが選択された順番とを紐付けた制御パラメータを記憶し、記憶された制御パラメータが示す順番に応じた色で光源５が発する光の色を変化させる。このように、点灯ボタンが選択されることで、点灯ボタンに対応した光の色と色に紐付けられた順番とを記憶部６２に格納することができるため、照明器具１の点灯態様を設定し易くなる。
【０１２２】
したがって、この照明器具１では、照明器具１の設定を簡略化することができる。
【０１２３】
特に、このような照明器具１では、個々に設定を行うため、従来のようにコントローラと照明器具とを接続する配線を引く必要がないため、設備が大掛かりになることもなく、施工コストが高騰化し難い。
【０１２４】
また、本実施の形態に係る照明器具１は、光源５と、光源５の光の色を制御する制御部６と、光源５の異なる光の色に対応した複数の点灯ボタンとを備える。そして、制御部６は、点灯ボタンが選択された順番を記憶し、記憶された順番に応じ点灯ボタンに対応した光源５の光の色で発光させる。
【０１２５】
また、本実施の形態に係る照明制御方法は、光源５と、光源５の光の色を制御する制御部６と、光源５を異なる複数の色の光で発光させるために使用者が操作する、複数の色に一対一で対応した複数の点灯ボタンとを備える照明器具１の照明制御方法である。また、照明制御方法では、複数の色で光を発することが可能な光源５の光の色を制御し、操作を受付けるたびに、色と点灯ボタンが選択された順番とを紐付けた制御パラメータを記憶し、記憶された制御パラメータが示す順番に応じた色で光源５が発する光の色を変化させる。
【０１２６】
照明器具１及び照明制御方法においても、上述と同様の作用効果を奏する。
【０１２７】
また、本実施の形態に係る照明器具１において、制御部６は、光源５の発する光の色を第１の色から第２の色に所定の移行期間で連続的に変化させる。
【０１２８】
これによれば、制御部６は、第１の色から第２の色に所定の移行期間で連続的に変化させるため、この照明器具１では、移行期間における滑らかな色の変化を実現することができる。また、２つの色の間を連続的に変化することで、使用者に違和感を与え難くなる。
【０１２９】
また、本実施の形態に係る照明器具１において、制御部６は、使用者がボタンを操作することによって、所定の移行期間を任意に設定する。
【０１３０】
これによれば、制御部６は移行期間を任意に設定する。このため、この照明器具１では、設定された移行期間に応じた点灯態様で、光源５の発する光の色を第１の色から第２の色に所定の移行期間で連続的に変化させることができる。また、この照明器具１では、使用者の使用態様に合わせた演出照明を行うことができるため、使い勝手がよい。
【０１３１】
また、本実施の形態に係る照明器具１において、制御部６は、ボタンを操作している最中に、光源５を発光させ、かつ、ボタンからの操作に基づいた制御パラメータを格納する。
【０１３２】
これによれば、制御部６は、ボタンを操作している最中に、光源５を発光させ、かつ、制御パラメータを格納する。このため、使用者は、ボタンを操作している最中に、光源５の点灯態様を視認することができるため、視認しながら光源５の点灯態様を設定することができる。このため、この照明器具１では、使い勝手がよい。
【０１３３】
また、本実施の形態に係る照明器具１において、制御部６は、さらに、光源５の光の、明るさ、色あい、鮮やかさ及び移行期間の少なくともいずれかを示す第１の値を制御する。また、制御部６は、使用者がボタンを操作することによって、第１の値から変更された第２の値を格納する。そして、制御部６は、第２の値に基づいて光源５の発する光を変化させる。
【０１３４】
これによれば、制御部６は、使用者がボタンを操作することによって、第１の値から変更された第２の値を格納する。制御部６は、第２の値に基づいて光源５の発する光を変化させる。これにより、光の色あい、光の明るさ、光の鮮やかさ、及び、移行期間の少なくともいずれかを新たに設定変更することで、変更後の第２の値に基づいて光源５の発する光を変化させることができる。このため、この照明器具１における設定の自由度を向上させることができる。
【０１３５】
また、本実施の形態に係る照明器具１において、制御部６は、当該照明器具１の電源がＯＦＦされた状態でも、制御パラメータを記憶し、再度、当該照明器具１の電源がＯＮされた状態になると、制御パラメータに応じて記憶した順番で光源５の発する光の色を変化させる。
【０１３６】
これによれば、制御部６は、当該照明器具１の電源がＯＦＦされた状態でも、制御パラメータを保持している。このため、照明器具１の電源がＯＮされた状態になれば、記憶されている制御パラメータを再生することができる。このため、この照明器具１では、すでに設定した点灯態様で発光することができるため、使い勝手がよい。
【０１３７】
（その他変形例等）
以上、本開示について、実施の形態に基づいて説明したが、本開示は、上記実施の形態に限定されるものではない。
【０１３８】
例えば、上記実施の形態に係る照明器具において、複数の照明器具を用いる場合において全ての照明器具を同期させる場合、照明器具に供給する電力を共通化すれば、複数の照明器具の全てを同期させることができる。つまり、同時に照明器具の電源をＯＮにすれば同期を取ることができる。
【０１３９】
また、上記実施の形態に係る照明器具において、移行期間は、隣り合う２つの光の色のうち、第１の色から第２の色に移行する期間を意味しているが、選択している全ての光の色での１周期を示していてもよい。この場合、選択している全ての光の色において、均等に割り振るように、移行期間を選択している色の数で除算することで算出された期間でもよい。
【０１４０】
また、上記実施の形態に係る照明器具において、複数の光の色を選択している場合、光源がどの色で発光していても、光の明るさ、光の鮮やかさ、及び、移行期間のいずれかが設定変更された場合は、例えば選択している複数の光の色のうちの任意の１つだけではなく、選択している光の色の全てを対象として設定変更してもよい。
【０１４１】
また、上記実施の形態に係る照明器具において、複数の光の色を選択している場合において、光の色を制御パラメータに追加する場合、新たに追加した光の色についても、すでに設定されている光の明るさ、光の鮮やかさ、及び、移行期間が適応される。
【０１４２】
また、上記実施の形態に係る照明器具に含まれる各処理部は典型的に集積回路であるＬＳＩとして実現される。これらは個別に１チップ化されてもよいし、一部又は全てを含むように１チップ化されてもよい。
【０１４３】
また、集積回路化はＬＳＩに限るものではなく、専用回路又は汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）、又はＬＳＩ内部の回路セルの接続や設定を再構成可能なリコンフィギュラブル・プロセッサを利用してもよい。
【０１４４】
なお、上記各実施の形態において、各構成要素は、専用のハードウェアで構成されるか、各構成要素に適したソフトウェアプログラムを実行することによって実現されてもよい。各構成要素は、ＣＰＵ又はプロセッサなどのプログラム実行部が、ハードディスク又は半導体メモリなどの記録媒体に記録されたソフトウェアプログラムを読み出して実行することによって実現されてもよい。
【０１４５】
また、上記で用いた数字は、全て本開示を具体的に説明するために例示するものであり、本開示の実施の形態は例示された数字に制限されない。
【０１４６】
また、ブロック図における機能ブロックの分割は一例であり、複数の機能ブロックを一つの機能ブロックとして実現したり、一つの機能ブロックを複数に分割したり、一部の機能を他の機能ブロックに移してもよい。また、類似する機能を有する複数の機能ブロックの機能を単一のハードウェア又はソフトウェアが並列又は時分割に処理してもよい。
【０１４７】
また、フローチャートにおける各ステップが実行される順序は、本開示を具体的に説明するために例示するためであり、上記以外の順序であってもよい。また、上記ステップの一部が、他のステップと同時（並列）に実行されてもよい。
【０１４８】
その他、実施の形態に対して当業者が思いつく各種変形を施して得られる形態、本開示の趣旨を逸脱しない範囲で実施の形態における構成要素及び機能を任意に組み合わせることで実現される形態も本開示に含まれる。
【符号の説明】
【０１４９】
１  照明器具
５  光源
６  制御部
７１〜７７  第１点灯ボタン〜第７点灯ボタン（ボタン）
１７２  レベル設定ボタン（ボタン）
１７３  色あい点灯ボタ（ボタン）
１７４  明るさ点灯ボタン（ボタン）
１７５  パステルボタン（ボタン）
１７６  スピードボタン（ボタン）
１７７  消灯再開ボタン（ボタン）
【図１】
2019067548.tif 000003
【図２】
2019067548.tif 000004
【図３】
2019067548.tif 000005
【図４】
2019067548.tif 000006
【図５】
2019067548.tif 000007
【図６】
2019067548.tif 000008
【図７】
2019067548.tif 000009
【図８】
2019067548.tif 000010
【図９】
2019067548.tif 000011
【図１０】
2019067548.tif 000012
【図１１】
2019067548.tif 000013
【図１２】
2019067548.tif 000014